(57)【要約】【課題】本発明は、光効率及び視野角特性を向上させることができるプリズムシート及びこれを用いるバックライトユニット及びプリズムシートの製造方法を提供する。【解決手段】本発明のプリズムシートは、透明基板１２０と、透明基板１２０の上面に所定の間隔に並んで形成された複数の溝１２１と、これら各溝１２１に形成された複数の反射パターン１２２と、複数の反射パターン１２２が形成された透明基板１２０上に形成された複数のレンチキュラレンズ１２４とを備えることを特徴とする。【選択図】図６
2007011266.tif 000002
【特許請求の範囲】
【請求項１】
透明基板と、
前記透明基板の上面に所定の間隔で並んで形成される複数の溝と、
前記各溝に形成された複数の反射パターンと、
前記複数の反射パターンの形成された前記透明基板上に形成された複数のレンチキュラレンズと、
を備えることを特徴とするプリズムシート。
【請求項２】
前記複数の反射パターンは、前記複数のレンチキュラレンズの谷部分に対向することを特徴とする請求項１に記載のプリズムシート。
【請求項３】
前記溝は、矩形、三角形及び曲面形状の断面のうちいずれか一つの形状の断面を有することを特徴とする請求項１に記載のプリズムシート。
【請求項４】
透明基板と、
前記透明基板上に形成された複数のレンチキュラレンズと、
前記複数のレンチキュラレンズの谷部分に形成された反射パターンと、
を備えることを特徴とするプリズムシート。
【請求項５】
前記反射パターンは、前記レンチキュラレンズの高さより低いことを特徴とする請求項４に記載のプリズムシート。
【請求項６】
透明基板と、
前記透明基板上に形成された複数のレンチキュラレンズと、
前記複数のレンチキュラレンズの谷部分に対向して前記透明基板の背面に形成された構造物と、
を備えることを特徴とするプリズムシート。
【請求項７】
前記構造物は、曲線溝、曲面突起及び三角突起のうちいずれか一つであることを特徴とする請求項６に記載のプリズムシート。
【請求項８】
前記曲面突起または三角突起の表面に形成された反射層をさらに備えることを特徴とする請求項７に記載のプリズムシート。
【請求項９】
前記反射層は、酸化チタン及び酸化マグネシウムのうちいずれか一つの材質から形成されることを特徴とする請求項８に記載のプリズムシート。
【請求項１０】
透明基板と、
前記透明基板上に形成される複数のレンチキュラレンズと、
前記複数のレンチキュラレンズを覆うように前記透明基板上に形成される第１保護層と、
前記第１保護層上に形成される第２保護層と、
前記第２保護層の上面に所定の間隔で並んで形成される複数の溝と、
前記各溝に形成される複数の反射パターンと、
を備えることを特徴とするプリズムシート。
【請求項１１】
前記複数の反射パターンは、前記複数のレンチキュラレンズの谷部分に対向することを特徴とする請求項１０に記載のプリズムシート。
【請求項１２】
光を発する少なくとも一つのランプと、
側面に形成された入射面を介して前記ランプから入射した光の進行方向を垂直に変換する導光板と、
前記導光板を経由した光を集光するプリズムシートと、を備え、
前記プリズムシートは、
透明基板と、
前記透明基板の上面に所定の間隔で並んで形成された複数の溝と、
前記複数の溝の各々に形成された複数の反射パターンと、
前記複数の反射パターンの形成された前記透明基板上に形成された複数のレンチキュラレンズと、を備えることを特徴とするバックライトユニット。
【請求項１３】
前記複数の反射パターンは、前記複数のレンチキュラレンズの谷部分に対向することを特徴とする請求項１２に記載のバックライトユニット。
【請求項１４】
前記溝は、矩形、三角形及び曲面形状の断面のうちいずれか一つの形状の断面を有することを特徴とする請求項１２に記載のバックライトユニット。
【請求項１５】
光を発する少なくとも一つのランプと、
側面に形成された入射面を介して前記ランプから入射した光の進行方向を垂直に変換する導光板と、
前記導光板を経由した光を集光するプリズムシートと、を備え、
前記プリズムシートは、
透明基板と、
前記透明基板上に形成された複数のレンチキュラレンズと、
前記複数のレンチキュラレンズの谷部分に形成された反射パターンと、を備えることを特徴とするバックライトユニット。
【請求項１６】
前記反射パターンは、前記レンチキュラレンズの高さよりも低いことを特徴とする請求項１５に記載のバックライトユニット。
【請求項１７】
光を発する少なくとも一つのランプと、
側面に形成された入射面を介して前記ランプから入射した光の進行方向を垂直に変換する導光板と、
前記導光板を経由した光を集光するプリズムシートと、を備え、
前記プリズムシートは、
透明基板と、
前記透明基板上に形成された複数のレンチキュラレンズと、
前記複数のレンチキュラレンズの谷部分に対向して前記透明基板の背面に形成された構造物と、を備えることを特徴とするバックライトユニット。
【請求項１８】
前記構造物は、曲線溝、曲面突起及び三角突起のうちいずれか一つであることを特徴とする請求項１７に記載のバックライトユニット。
【請求項１９】
前記曲面突起または三角突起の表面に形成された反射層をさらに備えることを特徴とする請求項１７に記載のバックライトユニット。
【請求項２０】
光を発する少なくとも一つのランプと、
側面に形成された入射面を介して前記ランプから入射した光の進行方向を垂直に変換する導光板と、
前記導光板を経由した光を集光するプリズムシートと、を備え、
前記プリズムシートは、
透明基板と、
前記透明基板上に形成された複数のレンチキュラレンズと、
前記複数のレンチキュラレンズを覆うように前記透明基板上に形成された第１保護層と、
前記第１保護層上に形成された第２保護層と、
前記第２保護層の上面に所定の間隔に並んで形成された複数の溝と、
前記複数の溝の各々に形成された複数の反射パターンと、を備えることを特徴とするバックライトユニット。
【請求項２１】
前記複数の反射パターンは、前記複数のレンチキュラレンズの谷部分に対向することを特徴とする請求項２０に記載のバックライトユニット。
【請求項２２】
前記ランプは、前記導光板の一側面または両側面に配置されることを特徴とする請求項１２、１５、１７及び２０のうち何れか一項に記載のバックライトユニット。
【請求項２３】
前記導光板の入射面と、前記ランプを取り囲むように前記導光板の一側面または両側面とに配置されるランプハウジングと、
前記導光板と前記プリズムシートとの間に配置され、前記導光板を経由した光を拡散させる拡散シートと、
前記導光板の下面に配置された反射板と、
をさらに備えることを特徴とする請求項１２、１５、１７及び２０のうち何れか一項に記載のバックライトユニット。
【請求項２４】
光を発する複数のランプと、
前記複数のランプを支持及び収納するボトムカバーと、
前記ボトムカバーの上面を覆い、前記複数のランプからの光を拡散させる拡散板と、
前記拡散板を経由した光を集光するプリズムシートと、を備え、
前記プリズムシートは、
透明基板と、
前記透明基板の上面に所定の間隔に並んで形成された複数の溝と、
前記複数の溝の各々に形成された複数の反射パターンと、
前記複数の反射パターンの形成された前記透明基板上に形成された複数のレンチキュラレンズと、を備えることを特徴とするバックライトユニット。
【請求項２５】
前記複数の反射パターンは、前記複数のレンチキュラレンズの谷部分に対向することを特徴とする請求項２４に記載のバックライトユニット。
【請求項２６】
前記溝は、矩形、三角形及び曲面形状の断面のうちいずれか一つの形状の断面を有することを特徴とする請求項２４に記載のバックライトユニット。
【請求項２７】
光を発する複数のランプと、
前記複数のランプを支持及び収納するボトムカバーと、
前記ボトムカバーの上面を覆い、前記複数のランプからの光を拡散させる拡散板と、
前記拡散板を経由した光を集光するプリズムシートと、を備え、
前記プリズムシートは、
透明基板と、
前記透明基板上に形成された複数のレンチキュラレンズと、
前記複数のレンチキュラレンズの谷部分に形成された反射パターンと、を備えることを特徴とするバックライトユニット。
【請求項２８】
前記反射パターンは、前記レンチキュラレンズの高さよりも低いことを特徴とする請求項２７に記載のバックライトユニット。
【請求項２９】
光を発する複数のランプと、
前記複数のランプを支持及び収納するボトムカバーと、
前記ボトムカバーの上面を覆い、前記複数のランプからの光を拡散させる拡散板と、
前記拡散板を経由した光を集光するプリズムシートと、を備え、
前記プリズムシートは、
透明基板と、
前記透明基板上に形成された複数のレンチキュラレンズと、
前記複数のレンチキュラレンズの谷部分に対向するように前記透明基板の背面に形成された構造物と、を備えることを特徴とするバックライトユニット。
【請求項３０】
前記構造物は、曲線溝、曲面突起及び三角突起のうちいずれか一つであることを特徴とする請求項２９に記載のバックライトユニット。
【請求項３１】
前記曲面突起または三角突起の表面に形成された反射層をさらに備えることを特徴とする請求項２９に記載のバックライトユニット。
【請求項３２】
光を発する複数のランプと、
前記複数のランプを支持及び収納するボトムカバーと、
前記ボトムカバーの上面を覆い、前記複数のランプからの光を拡散させる拡散板と、
前記拡散板を経由した光を集光するプリズムシートと、を備え、
前記プリズムシートは、
透明基板と、
前記透明基板上に形成された複数のレンチキュラレンズと、
前記複数のレンチキュラレンズを覆うように前記透明基板上に形成された第１保護層と、
前記第１保護層上に形成された第２保護層と、
前記第２保護層の上面に所定の間隔に並んで形成された複数の溝と、
前記複数の溝の各々に形成された複数の反射パターンと、を備えることを特徴とするバックライトユニット。
【請求項３３】
前記複数の反射パターンは、前記複数のレンチキュラレンズの谷部分に対向することを特徴とする請求項３２に記載のバックライトユニット。
【請求項３４】
透明基板の上面に所定の間隔に並ぶ複数の溝を形成する段階と、
前記各溝に反射パターンを形成する段階と、
前記反射パターンの形成された前記透明基板上に複数のレンチキュラレンズを形成する段階と、
を含むことを特徴とするプリズムシートの製造方法。
【請求項３５】
前記反射パターンは、前記複数のレンチキュラレンズの谷部分に対向するように形成することを特徴とする請求項３４に記載のプリズムシートの製造方法。
【請求項３６】
前記溝は、矩形、三角形及び曲面形状の断面のうちいずれか一つの形状の断面を有することを特徴とする請求項３４に記載のプリズムシートの製造方法。
【請求項３７】
透明基板上に複数のレンチキュラレンズを形成する段階と、
前記複数のレンチキュラレンズの谷部分に反射パターンを形成する段階と、を含むことを特徴とするプリズムシートの製造方法。
【請求項３８】
前記反射パターンは、前記レンチキュラレンズの高さよりも低く形成することを特徴とする請求項３７に記載のプリズムシートの製造方法。
【請求項３９】
上部面に形成された複数の溝部を有する透明基板と、
前記複数の溝部に対応するように前記透明基板に配置された複数の反射パターンと、
前記複数の反射パターンのうち少なくとも一つと少なくとも一つが重畳するエッジ部を有するように、前記基板上に配置された複数のレンチキュラレンズと、を備えることを特徴とするプリズムシート。
【請求項４０】
前記複数の溝部は、ストライプ形態で並んでいる複数の溝であることを特徴とする請求項３９に記載のプリズムシート。
【請求項４１】
前記複数の溝部は、一定の間隔を有することを特徴とする請求項４０に記載のプリズムシート。
【請求項４２】
前記複数の反射パターンは、該反射パターンの上部面が前記透明基板の非溝部領域の上部面と平行するように形成されることを特徴とする請求項３９に記載のプリズムシート。
【請求項４３】
前記複数のレンチキュラレンズのうち少なくとも一つのレンチキュラレンズの中央部は、前記複数の反射パターンのうち何れにも重畳しないことを特徴とする請求項３９に記載のプリズムシート。
【請求項４４】
表面より低く形成された少なくとも一つの溝部と、少なくとも一つの突出部とを有する透明基板と、
前記透明基板の少なくとも一つの溝部、或いは少なくとも一つの突出部と重畳するか、該溝部及び突出部に共に重畳するエッジ部を有するように、前記基板の上部面に配置された複数のレンチキュラレンズと、を備えることを特徴とするプリズムシート。
【請求項４５】
前記複数の溝部はストライプ形態で並んでいる複数の溝で、
前記複数の突出部はストライプ形態で並んでいる複数の突出部であることを特徴とする請求項４４に記載のプリズムシート。
【請求項４６】
前記複数のストライプ形態で並んでいる溝部、または複数のストライプ形態で並んでいる突出部は、一定の間隔を有することを特徴とする請求項４５に記載のプリズムシート。
【請求項４７】
前記複数のレンチキュラレンズのうち少なくとも一つのレンチキュラレンズの中央部は、前記複数の反射パターンのうち何れにも重畳しないことを特徴とする請求項４４に記載のプリズムシート。
【請求項４８】
複数の突出部のうち少なくとも一つに配置された反射層を更に備えることを特徴とする請求項４４に記載のプリズムシート。
【請求項４９】
透明基板と、
前記透明基板上に配置された複数のレンチキュラレンズと、
前記複数のレンチキュラレンズを覆うように前記透明基板上に配置された第１保護層と、
前記第１保護層上に配置され、上部面に複数の溝部を有する第２保護層と、
前記複数のレンチキュラレンズのうち少なくとも一つレンチキュラレンズのエッジ部と、少なくとも一つが重畳するように前記複数の溝部に形成された複数の反射パターンと、を備えることを特徴とするプリズムシート。
【請求項５０】
前記複数の溝部は、ストライプ形態で並んでいる複数の溝であることを特徴とする請求項４９に記載のプリズムシート。
【請求項５１】
前記複数の溝部は、一定の間隔を有することを特徴とする請求項５０に記載のプリズムシート。
【請求項５２】
前記複数のレンチキュラレンズのうち少なくとも一つのレンチキュラレンズの中央部は、前記複数の反射パターンのうち何れにも重畳しないことを特徴とする請求項４９に記載のプリズムシート。
【請求項５３】
前記透明基板は第１屈折率を有し、
前記複数のレンチキュラレンズは前記第１屈折率と異なる第２屈折率を有し、
前記第１保護層は前記第２屈折率と異なる第３屈折率を有し、
前記第２保護層は前記第３屈折率と異なる第４屈折率を有することを特徴とする請求項４９に記載のプリズムシート。
【発明の詳細な説明】
【技術分野】
【０００１】
本発明は、バックライトユニットに係り、特に、光効率及び視野角特性を向上させることができるプリズムシート及びこれを用いたバックライトユニット並びにプリズムシートの製造方法に関する。
【背景技術】
【０００２】
近来、陰極線管（ＣＲＴ）の短所とされる重さと体積を減らすことのできる各種平板表示装置が台頭してきている。かかる平板表示装置には、液晶表示装置（ＬＣＤ）、電界放出表示装置（ＦＥＤ）、プラズマ表示パネル（ＰＤＰ）及び発光表示装置（ＬＥＤ）などがある。
【０００３】
中でも、液晶表示装置は、複数の液晶セルと、これら液晶セルのそれぞれに供給されるビデオ信号を切り替えるための複数の制御用スイッチとで構成された液晶パネルにより、バックライトユニットから照射される光ビームの透過量が調節され、これにより、所望の画像が表示される。
【０００４】
図１は、従来技術によるバックライトユニットを示す図である。
【０００５】
図１を参照すると、従来技術によるバックライトユニットは、光を発するランプ１０と、入射面２２を介してランプ１０から入射される光を導く導光板２０と、導光板２０の入射面２２及びランプ１０を取り囲むように設置されるランプハウジング１２と、導光板２０の下面に配置される反射板３０と、導光板２０上に配置され、導光板２０を経由した光を拡散させる拡散シート４０と、拡散シート４０を経由した光の進行方向を調節するプリズムシート５０とを備える。
【０００６】
ランプ１０は、通常、冷陰極蛍光ランプを使用する。このランプ１０は、インバータ（図示せず）からのランプ駆動電圧で点灯され、導光板２０の側面にある入射面２２に光を照射する。
【０００７】
ランプハウジング１２は、ランプ１０及び導光板２０の入射面２２を取り囲むように導光板２０の側面に設置される。このランプハウジング１２は、内面に反射面が形成されており、ランプ１０からの光を導光板２０の入射面２２側に反射する役割を担う。
【０００８】
導光板２０は、ランプ１０から入射された光が、ランプ１０から遠く離れた箇所まで届くようにするとともに、入射した光を拡散シート４０側に導く。すなわち、導光板２０の下面に印刷式パターンが形成されており、入射面２２からの光が、傾斜した背面から所定の傾斜角で反射され、拡散シート４０側に均一に進むようになる。
【０００９】
反射板３０は、導光板２０の下面に配置され、導光板２０の背面を通って反射板自体に入射される光を導光板２０側に再反射させることによって、光損失を減らす役割を担う。
【００１０】
拡散シート４０は、導光板２０を経由した光を全領域に拡散させ、第１プリズムシート５０に照射する。
【００１１】
プリズムシート５０は、拡散シート４０を経由した光を集光する役割を担う。このため、プリズムシート５０のそれぞれは、図２に示すように、ポリエステル（ＰＥＴ）の材質からなる集光フィルム５２と、集光フィルム５２の上面に縞状に形成されたプリズム突出部５４とを備える。
【００１２】
プリズム突出部５４は、頂点から所定の角度で傾斜した第１及び第２傾斜面を有する。ここで、第１及び第２傾斜面のそれぞれは、集光フィルム５２の上面から約４５゜で傾斜するように形成される。
【００１３】
このように構成されるプリズムシート５０において、屈折率がｎ１の集光フィルム５２に所定角度θ１で入射される入射光は、次式の数１で示されるスネルの法則により、プリズム突出部５４から所定角度θ２で屈折し、屈折率がｎ２の外部に出射される。
【００１４】
【数１】
2007011266.tif 000003
【００１５】
すなわち、上記の従来技術によるバックライトユニットは、ランプ１０から発された光を、導光板２０を介して導光板２０の上部に配置された拡散シート４０側に導き、導光板２０を経由した光を拡散シート４０で全領域に拡散させた後に、プリズムシート５０を通じて集光して外部に出射させる。
【００１６】
しかしながら、かかる従来技術によるバックライトユニットにおいて、プリズムシート５０に入射された光は、図３に示すように、３つの領域、すなわち全反射領域、集光領域及びサイドローブ領域に分けられる。
【００１７】
具体的に、集光フィルム５２に垂直に入射する全反射領域の光Ａは、プリズム突出部５４の第１及び第２傾斜面により全反射され、再び導光板２０に進行することによってリサイクルされながら集光される。集光フィルム５２に所定の角度で入射する集光領域の光Ｂは、プリズム突出部５４の第１及び第２傾斜面により屈折して集光される。また、集光フィルム５２に所定の角度で入射するサイドローブ領域の光Ｃは、プリズム突出部５４の第１及び第２傾斜面により全反射され、光の効率を低下させ、かつ、視野角特性を低下させる。
【００１８】
プリズムシート５０は、サイドローブのために図４に示すように、対称点を中心に両側面に明るい領域が存在する。その結果、従来技術によるバックライトユニットは、プリズムシート５０の構造上、輝度非対称による視野角非対称性及びサイドローブによる光効率の低下という問題点があった。
これらのプリズムシートの問題点を解消するために、図５に示すように、集光シートとして使用可能なレンチキュラレンズシートが提案されている（特許文献１参照）。
【００１９】
図５を参照すると、従来技術によるレンチキュラレンズシートは、透明基板１の上面に形成された複数のレンチキュラレンズ２１と、透明基板１の背面に形成された反射パターン２３と、反射パターン２３を覆うように透明基板１の背面に形成された集光層１４と、集光層１４に積層して形成される透明樹脂層１６とを備える。
【００２０】
この従来技術によるレンチキュラレンズシートでは、反射パターン２３とレンチキュラレンズ２１の使用により、図４に示すようなサイドローブによる光損失が防止される。
【００２１】
かかる従来技術によるレンチキュラレンズシートにおける反射パターン２３の形成方法は、透明基板１の背面に接着層（図示せず）をコーティングした後、レンチキュラレンズ２１の上部から平行光を照射し、この平行光はレンチキュラレンズ２１により接着面で任意の数値を持つように集光される。これにより、接着層は、光が照射された箇所では接着性を失い、照射されない箇所では接着性を持つようになる。この際、反射パターン２３を接着層に転写することによって複数のレンチキュラレンズ２１の谷部分に反射パターン２３が形成される。
【００２２】
このように複数のレンチキュラレンズ２１の谷部分に形成された反射パターン２３は、集光性に劣る光を遮蔽かつ反射させる役割を担う。反射パターン２３により反射された光は、下部に配置された反射板から再反射されてリサイクルされる。
【特許文献１】米国特許第５８７０２２４号（公開日：１９９９年２月９日）
【発明の開示】
【発明が解決しようとする課題】
【００２３】
しかしながら、従来技術によるレンチキュラレンズシートは、接着面に接着された反射パターン２３が熱や外部圧力により歪んだり接着層の接着力が弱くて剥がれるという問題点があった。しかも、従来技術によるレンチキュラレンズシートは、平行光を用いて反射パターン２３を透明基板１の背面に接着させるため、反射パターン２３の形状を多種多様に形成することができないという問題もあった。
【００２４】
本発明は、上記の問題点を解決するためのもので、その目的は、光効率及び視野角特性を向上させることができるプリズムシート及びこれを用いたバックライトユニット並びにプリズムシートの製造方法を提供することにある。
【００２５】
本発明の他の目的は、多様な形態の反射パターンを用いて光効率及び視野角特性を向上させることができるプリズムシート及びこれを用いたバックライトユニット並びにプリズムシートの製造方法を提供することにある。
【課題を解決するための手段】
【００２６】
上記目的を達成するために、本発明のプリズムシートは、透明基板と、透明基板の上面に所定の間隔に並んで形成された複数の溝と、各溝に形成された複数の反射パターンと、複数の反射パターンが形成された透明基板上に形成された複数のレンチキュラレンズとを備えることを特徴とする。
【００２７】
また、本発明のプリズムシートは、透明基板と、透明基板上に形成された複数のレンチキュラレンズと、複数のレンチキュラレンズの谷部分に形成された反射パターンとを備えることを特徴とする。
【００２８】
また、本発明のプリズムシートは、透明基板と、透明基板上に形成された複数のレンチキュラレンズと、複数のレンチキュラレンズの谷部分に対向して透明基板の背面に形成された構造物とを備えることを特徴とする。
【００２９】
上記構造物は、曲線溝、曲面突起及び三角突起のうちいずれか一つであることを特徴とする。
【００３０】
また、本発明のプリズムシートは、透明基板と、透明基板上に形成された複数のレンチキュラレンズと、複数のレンチキュラレンズを覆うように透明基板上に形成された第１保護層と、第１保護層上に形成された第２保護層と、第２保護層の上面に一定の間隔に並んで形成された複数の溝と、各溝に形成された複数の反射パターンとを備えることを特徴とする。
【００３１】
本発明のバックライトユニットは、光を発する少なくとも一つのランプと、側面に形成された入射面を介してランプから入射した光の進行方向を垂直に変換する導光板と、導光板を経由した光を集光するプリズムシートとを備え、プリズムシートは、透明基板と、透明基板の上面に所定の間隔で並んで形成された複数の溝と、各溝に形成された複数の反射パターンと、複数の反射パターンの形成された透明基板上に形成された複数のレンチキュラレンズとを備えることを特徴とする。
【００３２】
また、本発明のバックライトユニットは、光を発する少なくとも一つのランプと、側面に形成された入射面を介してランプから入射した光の進行方向を垂直に変換する導光板と、導光板を経由した光を集光するプリズムシートとを備え、プリズムシートは、透明基板と、透明基板上に形成された複数のレンチキュラレンズと、複数のレンチキュラレンズの谷部分に形成された反射パターンとを備えることを特徴とする。
【００３３】
また、本発明のバックライトユニットは、光を発する少なくとも一つのランプと、側面に形成された入射面を介してランプから入射した光の進行方向を垂直に変換する導光板と、導光板を経由した光を集光するプリズムシートとを備え、プリズムシートは、透明基板と、透明基板上に形成された複数のレンチキュラレンズと、複数のレンチキュラレンズの谷部分に対向して透明基板の背面に形成された構造物とを備えることを特徴とする。
【００３４】
上記構造物は、曲線溝、曲面突起及び三角突起のうちいずれか一つであることを特徴とする。
【００３５】
また、本発明のバックライトユニットは、光を発する少なくとも一つのランプと、側面に形成された入射面を介してランプから入射した光の進行方向を垂直に変換する導光板と、導光板を経由した光を集光するプリズムシートとを備え、プリズムシートは、透明基板と、透明基板上に形成された複数のレンチキュラレンズと、複数のレンチキュラレンズを覆うように透明基板上に形成された第１保護層と、第１保護層上に形成された第２保護層と、第２保護層の上面に所定の間隔に並んで形成された複数の溝と、各溝に形成された複数の反射パターンとを備えることを特徴とする。
【００３６】
また、本発明のバックライトユニットは、光を発する複数のランプと、複数のランプを支持及び収納するボトムカバーと、ボトムカバーの上面を覆い、複数のランプからの光を拡散させる拡散板と、拡散板を経由した光を集光するプリズムシートとを備え、プリズムシートは、透明基板と、透明基板の上面に所定の間隔に並んで形成された複数の溝と、各溝に形成された複数の反射パターンと、複数の反射パターンの形成された透明基板上に形成された複数のレンチキュラレンズとを備えることを特徴とする。
【００３７】
また、本発明のバックライトユニットは、光を発する複数のランプと、複数のランプを支持及び収納するボトムカバーと、ボトムカバーの上面を覆い、複数のランプからの光を拡散させる拡散板と、拡散板を経由した光を集光するプリズムシートとを備え、プリズムシートは、透明基板と、透明基板上に形成された複数のレンチキュラレンズと、複数のレンチキュラレンズの谷部分に形成された反射パターンとを備えることを特徴とする。
【００３８】
また、本発明のバックライトユニットは、光を発する複数のランプと、複数のランプを支持及び収納するボトムカバーと、ボトムカバーの上面を覆い、複数のランプからの光を拡散させる拡散板と、拡散板を経由した光を集光するプリズムシートとを備え、プリズムシートは、透明基板と、透明基板上に形成された複数のレンチキュラレンズと、複数のレンチキュラレンズの谷部分に対向するように透明基板の背面に形成された構造物とを備えることを特徴とする。
【００３９】
また、本発明のバックライトユニットは、光を発する複数のランプと、複数のランプを支持及び収納するボトムカバーと、ボトムカバーの上面を覆い、複数のランプからの光を拡散させる拡散板と、拡散板を経由した光を集光するプリズムシートとを備え、プリズムシートは、透明基板と、透明基板上に形成された複数のレンチキュラレンズと、複数のレンチキュラレンズを覆うように透明基板上に形成された第１保護層と、第１保護層上に形成された第２保護層と、第２保護層の上面に所定の間隔に並んで形成された複数の溝と、各溝に形成された複数の反射パターンとを備えることを特徴とする。
【００４０】
本発明のプリズムシートの製造方法は、透明基板の上面に所定の間隔に並ぶ複数の溝を形成する段階と、各溝に反射パターンを形成する段階と、反射パターンの形成された透明基板上に複数のレンチキュラレンズを形成する段階とを備えることを特徴とする。
【００４１】
また、本発明のプリズムシートの製造方法は、透明基板上に複数のレンチキュラレンズを形成する段階と、複数のレンチキュラレンズの谷部分に反射パターンを形成する段階とを備えることを特徴とする。
【発明の効果】
【００４２】
本発明のプリズムシートとこれを用いるバックライトユニットは、透明基板の上面に形成された矩形、三角形及び曲線形状のうちいずれか一つの形状の断面を持つ複数の溝に反射パターンを形成し、反射パターンの形成された透明基板上に複数のレンチキュラレンズを形成するため、光の集光効率及び視野角特性を向上させ、かつ、熱や外部圧力に起因する反射パターンの歪み及び剥がれ現象を防止することが可能になる。
【００４３】
また、本発明のプリズムシートとこれを用いるバックライトユニットは、複数のレンチキュラレンズの谷部分に反射パターンを形成するため、光の集光効率及び視野角特性を向上させ、かつ、反射パターンのスクラッチによる集光効率の低下を防止し、かつ、プリズムシートの製造工程を単純化することが可能になる。
【００４４】
また、本発明のプリズムシートとこれを用いるバックライトユニットは、複数のレンチキュラレンズの谷部分に対向するように透明基板の背面に曲面溝、曲面突起及び三角突起のうちいずれか一つを形成するため、サイドローブによる光漏れ現象を防ぎ、集光効率及び視野角特性を向上させることが可能になる。
【００４５】
また、本発明のプリズムシートとこれを用いるバックライトユニットは、複数のレンチキュラレンズ上に保護層を形成するため、複数のレンチキュラレンズをより安全に保護し、外部の圧力に起因する複数のレンチキュラレンズの損傷を防止でき、保護層に形成された複数の溝の内部に反射パターンを形成することによって熱や外部圧力による反射パターンの歪み及び剥がれを防止することができる。
【発明を実施するための最良の形態】
【００４６】
以下、添付の図面に基づき、本発明の好適な実施形態について詳細に説明する。
【００４７】
図６は、本発明の第１実施形態におけるプリズムシートを示す断面図である。
【００４８】
図６を参照すると、本発明の第１実施形態におけるプリズムシートは、透明基板１２０と、透明基板１２０の上面に所定の間隔に並んで形成された複数の溝１２１と、各溝１２１に形成された複数の反射パターン１２２と、複数の反射パターン１２２上に谷部分が位置するように透明基板１２０の上面に形成される複数のレンチキュラレンズ１２４とを備える。
【００４９】
透明基板１２０は、一定の屈折率を持つ平板形態である。
【００５０】
各溝１２２は、矩形の断面を有し、透明基板１２０の上面に一定間隔をもって縞状に並んで形成される。
【００５１】
各反射パターン１２２は、溝１２１の内部に形成され、透明基板１２０の背面から所定角度傾いて入射する光を遮断したり透明基板１２０の下面に全反射させる役割を担う。ここで、各反射パターン１２２は、酸化チタン（ＴｉＯ２）または酸化マグネシウム（ＭｇＯ）のうちいずれか一つの物質で形成される。
【００５２】
このように形成された各反射パターン１２２は、透明基板１２０の背面から入射してサイドローブ領域に進行する光を、透明基板１２０の下面に全反射させることによって光の損失を防ぐ。
【００５３】
各レンチキュラレンズ１２４は、ポリエステルなどの物質からなり、透明基板１２０の上面に縞状に並んで形成される。ここで、複数のレンチキュラレンズ１２４の谷部分は、透明基板１２０に形成された各反射パターン１２２上に位置し、好ましくは、各反射パターン１２２の中心に位置すると良い。これら各レンチキュラレンズ１２４は、半円、楕円、カージオイド及びサイクロイドなどのような曲線形態の断面を持つように形成される。
【００５４】
次に、このような本発明の第１実施形態におけるプリズムシートの製造方法を、図７Ａ乃至図７Ｃを参照して段階的に説明する。
【００５５】
まず、図７Ａに示すように、透明基板１２０の上面に所定の間隔に並ぶ溝１２１を形成する。
【００５６】
次いで、図７Ｂに示すように、透明基板１２０の上面に形成された溝１２１に、複数の反射パターン１２２を形成する。
【００５７】
次いで、図７Ｃに示すように、複数の反射パターン１２２上に谷部分が位置するようにして透明基板１２０の上面に複数のレンチキュラレンズ１２４を形成する。
【００５８】
このようにして形成された本発明の第１実施形態におけるプリズムシートは、透明基板１２０上に形成された複数の溝１２１に、複数の反射パターン１２２を形成し、複数の反射パターン１２２が形成された透明基板１２０の上面に、複数のレンチキュラレンズ１２４を形成することによって、複数の反射パターン１２２及び複数のレンチキュラレンズ１２４を用いて透明基板１２０の背面から入射する光の効率及び視野角特性を向上させることができる。
【００５９】
また、本発明の第１実施形態におけるプリズムシートは、透明基板１２０に形成された複数の溝１２１に複数の反射パターン１２２を形成し、透明基板１２０と複数のレンチキュラレンズ１２４により反射パターン１２２が囲まれるため、熱や外部圧力による反射パターン１２２の歪み及び剥がれを防止することができる。
【００６０】
図８は、本発明の第２実施形態におけるプリズムシートを示す断面図である。
【００６１】
図８を参照すると、本発明の第２実施形態におけるプリズムシートは、透明基板１２０と、透明基板１２０の上面に所定の間隔で並んで形成された、三角形状の断面を持つ複数の三角溝２２１と、各三角溝２２１に形成された複数の反射パターン２２２と、複数の反射パターン２２２上に谷部分が位置するように透明基板１２０の上面に形成された複数のレンチキュラレンズ１２４とを備える。
【００６２】
このような本発明の第２実施形態におけるプリズムシートは、複数の三角溝２２１と複数の反射パターン２２２以外は、図６に示す本発明の第１実施形態と同様に構成される。
【００６３】
本発明の第２実施形態におけるプリズムシートにおいて、複数の三角溝２２１は、三角形状の断面を有し、かつ、透明基板１２０の上面に一定間隔をもって縞状に並んで形成される。
【００６４】
各反射パターン２２２は、三角溝２２１の内部に形成され、透明基板１２０の背面から所定角度傾いて入射する光を遮断したり透明基板１２０の下面に全反射させる役割を担う。ここで、各反射パターン２２２は、酸化チタン（ＴｉＯ２）または酸化マグネシウム（ＭｇＯ）のうちいずれか一つの物質で形成される。
【００６５】
これら各反射パターン２２２は、透明基板１２０の背面から入射してサイドローブ領域に進行する光を、透明基板１２０の下面に全反射させることによって光の損失を防ぐ。
【００６６】
このように構成された本発明の第２実施形態におけるプリズムシートは、上述した本発明の第１実施形態と同じ効果を有する。
【００６７】
図９は、本発明の第３実施形態におけるプリズムシートを示す断面図である。
【００６８】
図９を参照すると、本発明の第３実施形態におけるプリズムシートは、透明基板１２０と、透明基板１２０の上面に所定の間隔に並んで形成された曲線の断面を持つ複数の曲線溝３２１と、各曲線溝３２１に形成された複数の反射パターン３２２と、複数の反射パターン３２２上に谷部分が位置するように透明基板１２０の上面に形成された複数のレンチキュラレンズ１２４とを備える。
【００６９】
このように構成された本発明の第３実施形態におけるプリズムシートは、複数の曲線溝３２１と複数の反射パターン３２２以外は、図６に示す本発明の第１実施形態と同様に構成される。
【００７０】
また、本発明の第３実施形態におけるプリズムシートにおいて、複数の曲線溝３２１は、曲線形態の断面を有し、かつ、透明基板１２０の上面に一定間隔をもって縞状に並んで形成される。ここで、各曲線溝３２１は半円、楕円、カージオイド及びサイクロイドなどのような曲線形態の断面を持つように形成される。
【００７１】
各反射パターン３２２は、曲線溝３２１の内部に形成され、透明基板１２０の背面から所定角度傾いて入射する光を遮断したり透明基板１２０の下面に全反射させる役割を担う。ここで、各反射パターン３２２は、酸化チタン（ＴｉＯ２）または酸化マグネシウム（ＭｇＯ）のうちいずれか一つの物質から形成される。
【００７２】
これら各反射パターン３２２は、透明基板１２０の背面から入射してサイドローブ領域に進行する光を透明基板１２０の下面に全反射させることによって光の損失を防ぐ。
【００７３】
このように構成された本発明の第３実施形態におけるプリズムシートは、上述した本発明の第１実施形態と同じ効果を有する。
【００７４】
図１０は、本発明の第４実施形態におけるプリズムシートを示す断面図である。
【００７５】
図１０を参照すると、本発明の第４実施形態におけるプリズムシートは、透明基板４２０と、透明基板４２０の上面に形成された複数のレンチキュラレンズ４２４と、複数のレンチキュラレンズ４２４の谷部分に形成された複数の反射パターン４２２とを備える。
【００７６】
各レンチキュラレンズ４２４は、ポリエステルなどの物質からなり、透明基板４２０の上面に縞状に並んで形成される。ここで、各レンチキュラレンズ４２４は、半円、楕円、カージオイド及びサイクロイドなどのような曲線形態の断面を持つように形成される。
【００７７】
このような複数のレンチキュラレンズ４２４は、透明基板４２０の背面から入射する光を集光して外部に出射させる役割を担う。
【００７８】
各反射パターン４２２は、複数のレンチキュラレンズ４２４の高さを超えない状態に複数のレンチキュラレンズ４２４の谷部分に形成される。ここで、各反射パターン４２２は、酸化チタン（ＴｉＯ２）または酸化マグネシウム（ＭｇＯ）のうちいずれか一つの物質から形成される。
【００７９】
これら各反射パターン４２２は、透明基板４２０の背面から所定角度で入射する光が、各レンチキュラレンズ４２４により集光されるように反射させるとともに、透明基板４２０の下面に反射されてリサイクルされるように、隣接する他の反射パターン４２２に全反射させる役割を担う。すなわち、各反射パターン４２２は、透明基板４２０の背面から入射してサイドローブ領域に進行する光を、透明基板４２０の下面に全反射させることによって、光の損失を防ぐ。
【００８０】
次に、このように構成される本発明の第４実施形態におけるプリズムシートの製造方法を、図１１Ａ及び図１１Ｂを参照して段階的に説明する。
【００８１】
まず、図１１Ａに示すように、透明基板４２０の上面に複数のレンチキュラレンズ４２４を形成する。
【００８２】
次いで、複数のレンチキュラレンズ４２４の谷部分に、複数の反射パターン４２２を形成する。
【００８３】
このように構成された本発明の第４実施形態におけるプリズムシートは、透明基板４２０上に形成された複数のレンチキュラレンズ４２４の谷部分に反射パターン４２２を形成することによって、反射パターン４２２のスクラッチによる集光効率の低下を防止し、プリズムシートの製造工程を単純化させることができる。
【００８４】
したがって、本発明の第４実施形態におけるプリズムシートは、透明基板１２０の背面から入射する光の集光効率及び視野角特性を向上させることができる。
【００８５】
図１２は、本発明の第５実施形態におけるプリズムシートを示す断面図である。
【００８６】
図１２を参照すると、本発明の第５実施形態におけるプリズムシートは、透明基板５２０と、透明基板５２０の上面に形成された複数のレンチキュラレンズ５２４と、透明基板５２０の背面に形成された複数の曲線溝５２２とを備える。
【００８７】
各レンチキュラレンズ５２４は、ポリエステルなどの物質からなり、透明基板５２０の上面に縞状に並んで形成される。ここで、各レンチキュラレンズ５２４は、半円、楕円、カージオイド及びサイクロイドなどのような曲線形態の断面を持つように形成される。
【００８８】
このような複数のレンチキュラレンズ５２４は、透明基板５２０の背面から入射する光を集光して外部に出射させる。
【００８９】
複数の曲線溝５２２は、透明基板５２０の背面に所定の間隔に並んで形成される。ここで、各曲線溝５２２は、透明基板５２０の上面に形成された複数のレンチキュラレンズ５２４の谷部分に対向して形成される。
【００９０】
このような複数の曲線溝５２２は、透明基板５２０の背面から入射する光が複数のレンチキュラレンズ５２４により集光されるように、入射した光の進行方向を屈折させて複数のレンチキュラレンズ５２４に入射させる役割を担う。
【００９１】
このように構成された本発明の第５実施形態におけるプリズムシートは、透明基板５２０上に複数のレンチキュラレンズ５２４を形成し、複数のレンチキュラレンズ５２４の谷部分に対応する透明基板５２０の背面に複数の曲線溝５２２を形成することによって、透明基板５２０の背面から入射する光の集光効率及び視野角特性を向上させることができる。すなわち、本発明の第５実施形態におけるプリズムシートは、複数の曲線溝５２２を用いて、透明基板５２０の背面から入射してサイドローブ領域に進行する光の進行方向をレンチキュラレンズ５２４側に進行させることによって、サイドローブによる光漏れを防止し、集光効率及び視野角特性を向上させる。
【００９２】
図１３は、本発明の第６実施形態におけるプリズムシートを示す断面図である。
【００９３】
図１３を参照すると、本発明の第６実施形態におけるプリズムシートは、透明基板６２０と、透明基板６２０の上面に形成された複数のレンチキュラレンズ６２４と、透明基板６２０の背面に形成された、曲面の断面を持つ複数の曲面突起６２２とを備える。
【００９４】
各レンチキュラレンズ６２４は、ポリエステルなどの物質からなり、透明基板６２０の上面に縞状に並んで形成される。ここで、各レンチキュラレンズ６２４は、半円、楕円、カージオイド及びサイクロイドなどのような曲線形態の断面を持つように形成される。
【００９５】
このような複数のレンチキュラレンズ６２４は、透明基板６２０の背面から入射する光を集光して外部に出射させる。
【００９６】
各曲面突起６２２は、透明基板６２０の背面に所定の間隔に並んで形成される。ここで、各曲面突起６２２は、透明基板６２０の上面に形成された複数のレンチキュラレンズ６２４の谷部分に対向して形成される。そして、各曲面突起６２２は、半円、楕円、カージオイド及びサイクロイドなどのような曲線形態の断面を持つように形成される。
【００９７】
このような複数の曲面突起６２２は、透明基板６２０の背面から入射する光が複数のレンチキュラレンズ６２４により集光されるように、入射した光の進行方向を屈折させて複数のレンチキュラレンズ６２４に入射させる役割を担う。
【００９８】
このように構成された本発明の第６実施形態におけるプリズムシートは、透明基板６２０上に形成された複数のレンチキュラレンズ６２４を形成し、複数のレンチキュラレンズ６２４の谷部分に対応する透明基板６２０の背面に複数の曲面突起６２２を形成することによって、透明基板６２０の背面から入射する光の集光効率及び視野角特性を向上させることができる。すなわち、本発明の第６実施形態におけるプリズムシートは、複数の曲面突起６２２を用いて、透明基板６２０の背面から入射してサイドローブ領域に進行する光の進行方向をレンチキュラレンズ６２４側にさせることによって、サイドローブによる光漏れ現象を防止し、集光効率及び視野角特性を向上させる。
【００９９】
一方、本発明の第６実施形態におけるプリズムシートは、図１４に示すように、各曲面突起６２２の表面に形成された反射層６２６をさらに備えることができる。
【０１００】
反射層６２６は、各曲面突起６２２の表面に形成され、透明基板６２０の背面から入射する光を遮断するとともに全反射させることによってリサイクルされるようにする。また、反射層６２６は、複数のレンチキュラレンズ６２４から反射されて入る光を、複数のレンチキュラレンズ６２４側に再反射させる役割を担う。ここで、反射層６２６は、酸化チタン（ＴｉＯ２）または酸化マグネシウム（ＭｇＯ）のうちいずれか一つの物質から形成される。
【０１０１】
このように構成された本発明の第６実施形態におけるプリズムシートは、各曲面突起６２２の表面に形成された反射層６２６をさらに備えることによって、光の集光効率及び視野角特性をより向上させることができる。
【０１０２】
図１５は、本発明の第７実施形態におけるプリズムシートを示す断面図である。
【０１０３】
図１５を参照すると、本発明の第７実施形態におけるプリズムシートは、透明基板７２０と、透明基板７２０の上面に形成された複数のレンチキュラレンズ７２４と、透明基板７２０の背面に形成された、三角形状の断面を持つ複数の三角突起７２２とを備える。
【０１０４】
各レンチキュラレンズ７２４は、ポリエステルなどの物質からなり、透明基板７２０の上面に縞状に並んで形成される。ここで、各レンチキュラレンズ７２４は、半円、楕円、カージオイド及びサイクロイドなどのような曲線形態の断面を持つように形成される。
【０１０５】
このような複数のレンチキュラレンズ７２４は、透明基板７２０の背面から入射する光を集光して外部に出射させる。
【０１０６】
各三角突起７２２は、透明基板７２０の背面に所定の間隔に並んで形成される。ここで、各三角突起７２２は、透明基板７２０の上面に形成された複数のレンチキュラレンズ７２４の谷部分に対向して形成される。
【０１０７】
このような複数の三角突起７２２は、透明基板７２０の背面から入射する光が複数のレンチキュラレンズ７２４により集光されるように、入射した光の進行方向を屈折させて複数のレンチキュラレンズ７２４に入射させる役割を担う。
【０１０８】
このように構成された本発明の第７実施形態におけるプリズムシートは、透明基板７２０上に複数のレンチキュラレンズ７２４を形成し、複数のレンチキュラレンズ７２４の谷部分に対応する透明基板７２０の背面に複数の三角突起７２２を形成することによって、透明基板７２０の背面から入射する光の集光効率及び視野角特性を向上させることができる。すなわち、本発明の第７実施形態におけるプリズムシートは、複数の三角突起７２２を用いて透明基板７２０の背面から入射してサイドローブ領域に進行する光の進行方向を、レンチキュラレンズ７２４側にさせることによって、サイドローブによる光漏れ現象を防止し、集光効率及び視野角特性を向上させる。
【０１０９】
尚、本発明の第７実施形態におけるプリズムシートは、図１６に示すように、各三角突起７２２の表面に形成された反射層７２６をさらに備えることができる。
【０１１０】
反射層７２６は、各三角突起７２２の表面に形成され、透明基板７２０の背面から入射する光を遮断するとともに全反射させることによって、リサイクルされるようにする。また、反射層７２６は、複数のレンチキュラレンズ７２４から反射されて入る光を、複数のレンチキュラレンズ７２４側に再反射させる役割を担う。ここで、反射層７２２は、酸化チタン（ＴｉＯ２）または酸化マグネシウム（ＭｇＯ）のうちいずれか一つの物質から形成される。
【０１１１】
このように構成された本発明の第７実施形態におけるプリズムシートは、各三角突起７２２の表面に反射層７２６をさらに備えることによって、光の集光効率及び視野角特性をより向上させることができる。
【０１１２】
図１７は、本発明の第８実施形態におけるプリズムシートを示す断面図である。
【０１１３】
図１７を参照すると、本発明の第８実施形態におけるプリズムシートは、第１屈折率を持つ透明基板８２０と、第２屈折率を有し、透明基板８２０の上面に形成された複数のレンチキュラレンズ８２４と、第３屈折率を有し、複数のレンチキュラレンズ８２４を覆うように透明基板８２０上に形成された第１保護層８３０と、第１保護層８３０の全面に形成された第２保護層８４０と、第４屈折率を有し、第２保護層８４０上に形成された複数の溝８４１と、複数の溝８４１に形成された複数の反射パターン８４２とを備える。
【０１１４】
透明基板８２０は、第１屈折率を持つように平板形態に製造され、第１屈折率によって背面から入射する光を屈折させる。
【０１１５】
各レンチキュラレンズ８２４は、第２屈折率を持つポリエステルなどの物質からなり、透明基板８２０の上面に縞状に並んで形成される。ここで、各レンチキュラレンズ８２４は、半円、楕円、カージオイド及びサイクロイドなどのような曲線形態の断面を持つように形成される。
【０１１６】
このような各レンチキュラレンズ８２４は、透明基板８２０を透過して入射する光を集光して出射させる。
【０１１７】
第１保護層８３０は、各レンチキュラレンズ８２４を覆うように透明基板８２０の全面に形成される。この第１保護層８３０は、第３屈折率によって、各レンチキュラレンズ８２４を経由した光を屈折させ、第２保護層８４０に入射させる。また、第１保護層８３０は、熱及び外部の圧力から各レンチキュラレンズ８２４を保護する役割を担う。ここで、第１保護層８３０の第３屈折率は、入射する光の入射角度及び光の出射角度によって設定される。
【０１１８】
第２保護層８４０は、第１保護層８３０の全面に形成され、第４屈折率によって第１保護層８３０を透過した光を屈折させて外部に出射させる。
【０１１９】
複数の溝８４１は、矩形の断面を有し、複数のレンチキュラレンズ８２４の谷部分に対向するように第２保護層８４０の上面に一定の間隔で縞状に並んで形成される。
【０１２０】
複数の反射パターン８４２は、複数の溝８４１の内部に形成され、第２保護層８４０を介して所定角度傾いてに入射する光を、透明基板８２０の下面に全反射させる役割を担う。ここで、各反射パターン８４２は、酸化チタン（ＴｉＯ２）または酸化マグネシウム（ＭｇＯ）のうちいずれか一つの物質から形成される。ここで、各反射パターン８４２の位置は、レンチキュラレンズ８２４の屈折率と光の入射角度によって可変する。
【０１２１】
これら各反射パターン８４２は、第２保護層８４０を通ってサイドローブ領域に進行する光を透明基板８２０の下面に全反射させることによって、光の損失を防ぐ。
【０１２２】
このように構成された本発明の第８実施形態におけるプリズムシートは、複数のレンチキュラレンズ８２４をより安全に保護でき、外部の圧力により複数のレンチキュラレンズ８２４が損傷するのを防止することができる。また、本発明の第８実施形態におけるプリズムシートは、第２保護層８４０に形成された複数の溝８４１の内部に反射パターン８４２を形成するため、熱や外部圧力による反射パターン８２２の歪み及び剥がれを防止することができる。
【０１２３】
以上の本発明の第１乃至第８実施形態におけるプリズムシートは、図１８乃至図２０に示すバックライトユニットに適用可能である。
【０１２４】
図１８は、本発明のバックライトユニットの第１実施形態を概略的に示す断面図である。
【０１２５】
図１８を参照すると、本発明のバックライトユニットの第１実施形態は、光を発するランプ９１０と、入射面９２２を介してランプ９１０から入射する光を導く導光板９２０と、導光板９２０の入射面９２２及びランプ９１０を取り囲むように設置されるランプハウジング９１２と、導光板９２０の下面に配置される反射板９３０と、導光板９２０上に配置され、導光板９２０を経由した光を拡散させる拡散シート９４０と、拡散シート９４０を経由した光を集光するためのプリズムシート９５０とを備える。
【０１２６】
ランプ９１０は、主に冷陰極蛍光ランプを使用する。このランプ９１０は、図示せぬインバータからのランプ駆動電圧で点灯され、導光板１２０の側面にある入射面９２２に光を照射する。
【０１２７】
ランプハウジング９１２は、ランプ９１０及び導光板９２０の入射面９２２を取り囲むように導光板９２０の側面に設置される。このランプハウジング９１２は、内面に反射面が形成されており、ランプ９１０からの光を導光板９２０の入射面９２２側に反射させる役割を担う。
【０１２８】
導光板９２０は、ランプ９１０から入射された光がランプ９１０から遠く離れた箇所まで光が届くようにするとともに、入射する光を拡散シート９４０側に導く。すなわち、導光板９２０の下面に印刷式パターンが形成されており、入射面９２２からの光が、傾斜した背面から所定傾斜角で反射され拡散シート９４０側に均一に進むようになる。
【０１２９】
反射板９３０は、導光板９２０の下面に配置され、導光板９２０の背面を通って反射板自身に入射される光を導光板９２０側に再反射させることによって光損失を低減する役割を担う。
【０１３０】
拡散シート９４０は、導光板９２０を経由した光を全領域に拡散しプリズムシート９５０に照射する。
【０１３１】
プリズムシート９５０は、図５乃至図１７に示す本発明の第１乃至第８実施形態におけるプリズムシートのうちいずれか一つと同様の構造を有するものとし、プリズムシート９５０についての詳細説明は省くものとする。
【０１３２】
このように構成された本発明のバックライトユニットの第１実施形態は、プリズムシート９５０のサイドローブ領域に進行する光、すなわち光漏れを生じさせる光を除去して光漏れ現象を防止するとともに、光の集光効率及び輝度対称性を向上させ、視野角を向上させることができる。
【０１３３】
図１９は、本発明のバックライトユニットの第２実施形態を概略的に示す断面図である。
【０１３４】
図１９を参照すると、本発明のバックライトユニットの第２実施形態は、平板形態の導光板９７０と、導光板９７０の両側面のそれぞれの入射面９２２に対向して配置される少なくとも一つのランプ９１０と、導光板９２０の入射面９２２及びランプ９１０を取り囲むように設置される２個のランプハウジング９１２と、導光板９７０の下面に配置される反射板９３０と、導光板９７０上に配置され、導光板９７０を経由した光を拡散させる拡散シート９４０と、拡散シート９４０を経由した光を集光するためのプリズムシート９５０とを備える。
【０１３５】
このように構成された本発明のバックライトユニットの第２実施形態は、導光板９７０と導光板９７０の両側面のそれぞれに対向して配置される少なくとも一つのランプ９１０以外は、図１８に示す本発明のバックライトユニットの第１実施形態と同様に構成される。
【０１３６】
したがって、本発明のバックライトユニットの第２実施形態は、少なくとも一つのランプ９１０から導光板９７０の両側面に光を入射させることによって、外部に出射される光の輝度を大きく向上させることができる。
【０１３７】
また、本発明のバックライトユニットの第２実施形態は、プリズムシート９５０のサイドローブ領域に進行する光、すなわち光漏れを生じさせる光を除去して光漏れ現象を防止するとともに、光の集光効率及び輝度対称性を向上させ、視野角を向上させることができる。
【０１３８】
図２０は、本発明のバックライトユニットの第３実施形態を概略的に示す断面図である。
【０１３９】
図２０を参照すると、本発明のバックライトユニットの第３実施形態は、光を発する複数のランプ１１１０と、複数のランプ１１１０を収納するボトムカバー１１１２と、ボトムカバー１１１２の上面を覆い、複数のランプ１１１０から入射される光を全領域に拡散させる拡散板１１２０と、拡散板１１２０上に配置され、拡散板１１２０からの光を集光するプリズムシート１１５０とを備える。
【０１４０】
各ランプ１１１０は、通常、冷陰極蛍光ランプを使用する。このランプ１１１０は、図示せぬインバータからのランプ駆動電圧で点灯され、拡散板１１２０の背面に光を照射する。
【０１４１】
ボトムカバー１１１２は、複数のランプ１１１０を支持及び収納する。このボトムカバー１１１２の内壁には、複数のランプ１１１０から入射される光を拡散板１１２０側に反射させる反射シート（図示せず）が付着される。
【０１４２】
拡散板１１２０は、ボトムカバー１１１２の上面を覆うように配置され、複数のランプ１１１０及びボトムカバー１１１２の反射シートから入射する光を全領域に拡散しプリズムシート１１５０に照射させる。
【０１４３】
プリズムシート１１５０は、図５乃至図１７に示す本発明の第１乃至第８実施形態におけるプリズムシートのうちいずれか一つと同様の構造を有するものとし、プリズムシート１１５０についての詳細説明は省くものとする。
【０１４４】
このように構成された本発明のバックライトユニットの第３実施形態は、複数のランプ１１１０からの光を拡散板１１２０の背面に直接照射させるため、外部に出射される光の輝度を大きく向上させることができる。
【０１４５】
また、本発明のバックライトユニットの第３実施形態は、プリズムシート１１５０のサイドローブ領域に進行する光、すなわち光漏れを生じさせる光を除去して光漏れ現象を防止するとともに、光の集光効率及び輝度対称性を向上させ、視野角を向上させることができる。
【０１４６】
なお、上述した本発明のバックライトユニットの第１乃至第３実施形態は、液晶表示装置の光源として適用することができる。
【０１４７】
以上、具体的な実施形態及び図面を挙げて本発明を説明してきたが、これらに限定されず、本発明の技術的思想を逸脱しない範囲内で様々な置換、変形及び変更が可能であるということは、当技術分野で通常の知識を持つ者にとっては明白である。
【図面の簡単な説明】
【０１４８】
【図１】従来技術によるバックライトユニットを示す図である。
【図２】図１に示すプリズムシートを示す斜視図である。
【図３】図２に示すプリズム突出部の光特性を示す図である。
【図４】図２に示すプリズムシートの光透過及び角分布を示す図である。
【図５】従来技術によるレンチキュラレンズシートを示す断面図である。
【図６】本発明の第１実施形態によるプリズムシートを示す断面図である。
【図７Ａ】本発明の第１実施形態によるプリズムシートの製造方法を段階的に示す断面図である。
【図７Ｂ】本発明の第１実施形態によるプリズムシートの製造方法を段階的に示す断面図である。
【図７Ｃ】本発明の第１実施形態によるプリズムシートの製造方法を段階的に示す断面図である。
【図８】本発明の第２実施形態によるプリズムシートを示す断面図である。
【図９】本発明の第３実施形態によるプリズムシートを示す断面図である。
【図１０】本発明の第４実施形態によるプリズムシートを示す断面図である。
【図１１Ａ】本発明の第４実施形態によるプリズムシートの製造方法を段階的に示す断面図である。
【図１１Ｂ】本発明の第４実施形態によるプリズムシートの製造方法を段階的に示す断面図である。
【図１２】本発明の第５実施形態によるプリズムシートを示す断面図である。
【図１３】本発明の第６実施形態によるプリズムシートを示す断面図である。
【図１４】図１３に示す曲面突起に形成された反射層を示す断面図である。
【図１５】本発明の第７実施形態によるプリズムシートを示す断面図である。
【図１６】図１５に示す三角突起に形成された反射層を示す断面図である。
【図１７】本発明の第８実施形態によるプリズムシートを示す断面図である。
【図１８】本発明のバックライトユニットの第１実施形態を概略的に示す断面図である。
【図１９】本発明のバックライトユニットの第２実施形態を概略的に示す断面図である。
【図２０】本発明のバックライトユニットの第３実施形態を概略的に示す断面図である。
【図１】
2007011266.tif 000004
【図２】
2007011266.tif 000005
【図３】
2007011266.tif 000006
【図５】
2007011266.tif 000007
【図６】
2007011266.tif 000008
【図７Ａ】
2007011266.tif 000009
【図７Ｂ】
2007011266.tif 000010
【図７Ｃ】
2007011266.tif 000011
【図８】
2007011266.tif 000012
【図９】
2007011266.tif 000013
【図１０】
2007011266.tif 000014
【図１１Ａ】
2007011266.tif 000015
【図１１Ｂ】
2007011266.tif 000016
【図１２】
2007011266.tif 000017
【図１３】
2007011266.tif 000018
【図１４】
2007011266.tif 000019
【図１５】
2007011266.tif 000020
【図１６】
2007011266.tif 000021
【図１７】
2007011266.tif 000022
【図１８】
2007011266.tif 000023
【図１９】
2007011266.tif 000024
【図２０】
2007011266.tif 000025
【図４】
2007011266.tif 000026